(57)【要約】【課題】強風が外壁に吹き付けても、開放時および閉鎖時のシャッターが影響を受けず、かつ、薄壁の外壁にも設置できるシャッター付きの換気用ベントキャップを提供することを目的とする。【解決手段】外壁１内に設けたダクト４内に嵌挿される本体筒部５の室外３側に設けた遮蔽部８との間に全周にわたって間隔をおいて、円筒状のカラー部１１を本体筒部５の室外側端部６に設け、本体筒部５の室外側開口部１２の前方に風圧式のシャッター１３を設けたことにより、シャッター１３開放時に外風の影響を受けず、所定の開き角度で開放し、シャッター閉鎖時に、遮蔽部８とカラー部１１との間の開口に吹き込む外風に煽られてシャッター１３が開くのを防止でき、また、薄壁の外壁１でもダクト４の室内側に設置される換気扇１５と設置上の干渉をせずに設置することができる。【選択図】図１
2009293893.tif 000002
【特許請求の範囲】
【請求項１】
建物の外壁内に設けられて室内側と室外側を連通するダクト内に嵌挿される本体筒部と、前記本体筒部の室外側端部側から支持部材を介して室外に設けられる遮蔽部とを備えた換気用ベントキャップであって、前記本体筒部の室外側端部から室外側に突出させ、その先端部と前記遮蔽部との間に全周にわたって間隔をおいた円筒状のカラー部が設けられ、前記本体筒部の室外側開口部の前方に、室内からの排気風の風圧で室外側に回動して前記室外側開口部を開閉する風圧式のシャッターを設けたことを特徴とする換気用ベントキャップ。
【請求項２】
シャッターは複数枚のシャッター羽根を上下方向に並設してなる請求項１記載の換気用ベントキャップ。
【請求項３】
シャッターはアルミ製とした請求項１または２記載の換気用ベントキャップ。
【請求項４】
シャッターは柔軟性のある樹脂板製とした請求項１または２記載の換気用ベントキャップ。
【請求項５】
本体筒部内に防火ダンパーが設けられた請求項１〜４のいずれかに記載の換気用ベントキャップ。
【請求項６】
防火ダンパーの開放状態を保持する温度ヒューズの取付位置を、防火ダンパーの回動支軸に対し室内側とした請求項５記載の換気用ベントキャップ。
【請求項７】
カラー部の内側にシャッターの外周を囲む枠を有しているベースを設けた請求項１〜６のいずれかに記載の換気用ベントキャップ。
【請求項８】
遮蔽部と支持部材とベースとシャッターとをユニット化して遮蔽ユニットを構成し、前記遮蔽ユニットを本体筒部に着脱自在とした請求項７記載の換気用ベントキャップ。
【発明の詳細な説明】
【技術分野】
【０００１】
本発明は、住宅等の室内を換気するときに、建物の外壁部分に設置される換気用ベントキャップに関する。
【背景技術】
【０００２】
従来、この種の換気用ベントキャップとして、室内への外風の吹き込みを防止するシャッターを設けたフード装置が知られている（例えば、特許文献１参照）。
【０００３】
以下、その換気用ベントキャップについて図５を参照しながら説明する。
【０００４】
図５に示すように、室内１０９から延出されたダクト１０１の一端部開口からなる排気口１０２を室外１１０側から覆って外壁１０３に取り付けられる筒部１０４と、筒部１０４の上部から排気口１０２の中心軸方向で室外１１０側に延設し、徐々に下方を覆い込むように湾曲させたフード本体１０５と、筒部１０４内に配設され横方向の回転軸１０６により回動自在に支承された筒部開閉用の可動羽根１０７とを設け、可動羽根１０７の回転軸１０６を、可動羽根１０７が自重で垂下して排気口１０２を閉じるように、可動羽根１０７の上下方向の中心位置より上方にずらせた位置に設けたフード装置１０８としている。
【０００５】
また、シャッターを配設する構成が特許文献１と異なる換気用ベントキャップとして、特許文献２の屋外フードが知らされている。
【０００６】
その屋外フードについて、図６を参照しながら説明する。
【０００７】
図６に示すように、外壁２０１内に設けられ、室内２０２と室外２０３を連通するダクト２０４に挿入される筒部２０５と、外壁面２０６に取り付けられ、略中央に開口部２０７を有した本体２０８と、この本体２０８を覆うようにして設けられ、下部に開口２１３を形成したフード２０９と、筒部２０５内に設けられたシャッター軸２１０に回動自在に軸支されたシャッター２１１とを備え、シャッター２１１の位置はシャッター２１１の閉状態にはシャッター２１１の全部が筒部２０５内に収まり、シャッター２１１の開状態にはその一部をフード２０９の内部となる位置に設けてなる屋外フード２１２の構成としている。
【特許文献１】特開平８−２１９５３７号公報（段落００１４〜００１８および図１）
【特許文献２】特開２００５−１４０３６３号公報（段落００３１、図１）
【発明の開示】
【発明が解決しようとする課題】
【０００８】
特許文献１に記載された換気用ベントキャップは、室内１０９側にダクト１０１に連通して設置された換気扇（図示せず）を運転すると、換気扇の風圧で可動羽根１０７が回転軸１０６を支軸として室外１１０側方向に回動し、可動羽根１０７が開いて換気を行う。一方、台風のような強風が発生したときは、室外１１０からの外風の侵入を防ぐため、換気扇の運転を停止する。換気扇を停止すると、可動羽根１０７を開かせるための風圧がなくなるため、可動羽根１０７は自然垂下状態となり、排気口１０２を閉鎖する。このような強風時には、外風は外壁１０３に当たり、その壁面に沿って上方に吹き上げる風１１１となる。そして、吹き上げる風１１１はフード本体１０５の下部の開口１１２から侵入すると、湾曲したフード本体１０５の上部１１３で風がせき止められる状態となって、風の渦が発生し乱流が起こる。風の乱流が発生すると、この乱流によって可動羽根１０７の上部側１１４は、室内１０９側に押され、可動羽根１０７は開いてしまうこととなり、その結果、強風の発生時に外風が室内１０９に侵入し、在室者に不快な思いをさせてしまう。
【０００９】
このように、フード本体１０５の下部しか開口１１２がなく、可動羽根１０７が吹き上げる風１１１による乱流に押圧される位置に配設された換気用ベントキャップでは、吹き上げる風１１１によって、閉鎖時に、可動羽根１０７が下方から煽られて開口してしまい、室内に外風が侵入することがあった。
【００１０】
また、特許文献２の換気用ベントキャップは、フード２０９の下部の開口２１３から入った外風がフード天面２１４でせき止められるが、シャッター２１１が外風の影響を受けないように、閉鎖時のシャッター２１１はフード２０９の領域ではなく、筒部２０５内に全部が位置するので、せき止められた風はシャッター２１１の面に当接する量が減少し、乱流は少なくなってシャッター２１１が煽られて開いてしまうのを防止できる。
【００１１】
しかし、シャッター２１１が筒部２０５内に配設されているため、筒部２０５のダクト２０４内に差し込まれる部分の寸法Ｙは、少なくともシャッター２１１の配設分の寸法を必要とし、壁厚の薄い外壁２０１では、その室内側壁面に換気扇を設置する場合、換気扇と干渉してしまい、換気用ベントキャップを取り付けることができない、という課題があった。
【００１２】
本発明は、このような従来の課題を解決するものであり、外風が強く外壁に吹き付けても、開放時および閉鎖時のシャッターが影響を受けず、かつ、薄壁の外壁にも設置できるシャッター付きの換気用ベントキャップを提供することを目的とする。
【課題を解決するための手段】
【００１３】
本発明の換気用ベントキャップは、上記目的を達成するために、建物の外壁内に設けられて室内側と室外側を連通するダクト内に嵌挿される本体筒部と、前記本体筒部の室外側端部側から支持部材を介して室外に設けられる遮蔽部とを備えた換気用ベントキャップであって、前記本体筒部の室外側端部から室外側に突出させ、その先端部と前記遮蔽部との間に全周にわたって間隔をおいた円筒状のカラー部が設けられ、前記本体筒部の室外側開口部の前方に、室内からの排気風の風圧で室外側に回動して前記室外側開口部を開閉する風圧式のシャッターを設けたものである。
【００１４】
また、他の手段は、シャッターは複数枚のシャッター羽根を上下方向に並設してなるものである。
【００１５】
また、他の手段は、シャッターはアルミ製としたものである。
【００１６】
また、他の手段は、シャッターは柔軟性のある樹脂板製としたものである。
【００１７】
また、他の手段は、本体筒部内に防火ダンパーが設けられたものである。
【００１８】
また、他の手段は、防火ダンパーの開放状態を保持する温度ヒューズの取付位置を、防火ダンパーの回動支軸に対し室内側としたものである。
【００１９】
また、他の手段は、カラー部の内側にシャッターの外周を囲む枠を有しているベースを設けたものである。
【００２０】
また、他の手段は、遮蔽部と支持部材とベースとシャッターとをユニット化して遮蔽ユニットを構成し、前記遮蔽ユニットを本体筒部に着脱自在としたものである。
【発明の効果】
【００２１】
本発明によれば、室内側と室外側を連通するダクト内に嵌挿される本体筒部の室外側端部側から支持部材を介して室外に設けられる遮蔽部を備え、本体筒部の室外側端部から室外側に突出させ、その先端部と前記遮蔽部との間に全周にわたって間隔をおいた円筒状のカラー部が設けられ、本体筒部の室外側開口部の前方に、室内からの排気風の風圧で室外側に回動して室外側開口部を開閉する風圧式のシャッターを設けたことにより、シャッター開放時に、シャッターは外壁に向かって吹き付ける外風の影響を受けず、所定の開き角度で開放して室内空気の排気ができ、また、シャッター閉鎖時に、シャッターは遮蔽部とカラー部との間の開口に吹き込む外風に煽られて開いてしまうことがなく、室内側への外風の侵入を防止できる。さらに、本体筒部内にシャッターを設けないため、壁厚の薄い外壁でも、換気用ベントキャップを設置した外壁の室内側壁面に設置する換気扇と設置上の干渉をしない。
【００２２】
また、シャッターは複数枚のシャッター羽根を上下方向に並設してなることにより、１枚のシャッター羽根の面積は小さく、シャッター閉鎖時に、外風から受ける影響がさらに小さくなって、外風の室内への侵入防止効果がより高くなり、また、シャッター開放時に小風量で開放し、圧力損失の小さい風圧式のシャッターを備えた換気用ベントキャップを提供できる。
【００２３】
また、シャッターはアルミ製としたことにより、シャッターは軽くなって、圧力損失の小さい風圧式のシャッターを備えた換気用ベントキャップを提供できる。
【００２４】
また、シャッターは柔軟性のある樹脂板製としたことにより、シャッター閉鎖時のシャッター同士の衝突音が小さくなり、室内にいる人がシャッターの閉鎖音によって不快になるのを防止できる。
【００２５】
また、本体筒部内に防火ダンパーが設けられたことにより、シャッターと防火ダンパーを併設した場合、本体筒部のダクトへの差込寸法を防火ダンパーの配設のための寸法のみにできるので、防火地域などでの薄壁の外壁にも取り付けが可能な、風圧式のシャッターと防火ダンパーを併設した換気用ベントキャップを提供できる。
【００２６】
また、防火ダンパーの開放状態を保持する温度ヒューズの取付位置を、防火ダンパーの回動支軸に対し室内側としたことにより、室内側から温度ヒューズを交換でき、さらにシャッターに触ることなく温度ヒューズを交換できるので、メンテナンスを容易にできる。
【００２７】
また、カラー部にシャッターの外周を囲む枠を有しているベースを設けたことにより、枠によってシャッターの側方から異物が挟まれないようになるので、シャッター開閉の不作動に対する防止ができる。
【００２８】
また、遮蔽部と支持部材とベースとシャッターとをユニット化して遮蔽ユニットを構成し、遮蔽ユニットを本体筒部に着脱自在としたことにより、シャッターを備えた遮蔽ユニットが本体筒部に着脱自在となって、シャッターなしの換気用ベントキャップを設置後、シャッター付の換気用ベントキャップに容易に変更することができることとなる。
【発明を実施するための最良の形態】
【００２９】
本発明の請求項１記載の換気用ベントキャップは、室内側と室外側を連通するダクト内に嵌挿される本体筒部の室外側端部側から支持部材を介して室外に設けられる遮蔽部を備え、前記本体筒部の室外側端部から室外側に突出させ、その先端部と前記遮蔽部との間に全周にわたって間隔をおいた円筒状のカラー部が設けられ、前記本体筒部の室外側開口部の前方に、室内からの排気風の風圧で室外側に回動して前記室外側開口部を開閉する風圧式のシャッターを設けたものであり、シャッターは、遮蔽部に対し室内側にあるので、正面から外壁に向かって強く吹き付ける外風を受けず、外風によりシャッターの開きが少なくなるのを防止でき、また、遮蔽部とカラー部の先端部との間に開口が全周にわたって形成されるので、この開口に吹き込む外風はそのまま吹き抜け、フードの下部しか開口のない換気用ベントキャップのように下方から吹き上げる風によって、閉鎖時のシャッターが下から煽られることがほとんどなくなり、さらに、シャッターを本体筒部内に設けていないので、壁厚の薄い外壁でも、換気用ベントキャップを設置した外壁の室内側壁面に設置する換気扇と干渉をしないという作用を有する。
【００３０】
また、請求項２記載の換気用ベントキャップは、シャッターは複数枚のシャッター羽根を上下方向に並設してなるものであり、シャッター羽根１枚の面積は小さく、シャッターが遮蔽部とカラー部の先端部との間に吹き込む外風によって煽られる影響をさらに小さくする。
【００３１】
また、請求項３記載の換気用ベントキャップは、シャッターはアルミ製としたものであり、シャッターは軽くなり、少ない排気風でもシャッターを開くようにでき、圧力損失が小さくなる。
【００３２】
また、請求項４記載の換気用ベントキャップは、シャッターは柔軟性のある樹脂板製としたものであり、シャッターを閉鎖する際に、シャッター同士が当接する際に発生する衝突音を緩和できる。
【００３３】
また、請求項５記載の換気用ベントキャップは、本体筒部内に防火ダンパーが設けられたものであり、シャッターが本体筒部の室外側開口部の前方に設けられているので、シャッターと防火ダンパーを併設しても、本体筒部のダクトへの差込寸法を防火ダンパー配設のための寸法のみにでき、防火地域などでの薄壁の外壁にも取り付けが可能な、風圧式のシャッターと防火ダンパーを併設した換気用ベントキャップを提供できる。
【００３４】
また、請求項６記載の換気用ベントキャップは、防火ダンパーの開放状態を保持する温度ヒューズの取付位置を、防火ダンパーの回動支軸に対し室内側としたものであり、温度ヒューズの交換の際には、室内側から温度ヒューズを着脱できる。
【００３５】
また、請求項７記載の換気用ベントキャップは、カラー部にシャッターの外周を囲む枠を有しているベースを設けたものであり、枠によってシャッターの側方からの異物侵入を防止できる。
【００３６】
また、請求項８記載の換気用ベントキャップは、遮蔽部と支持部材とベースとシャッターとをユニット化して遮蔽ユニットを構成し、前記遮蔽ユニットを本体筒部に着脱自在としたものであり、シャッターなしの換気用ベントキャップを設置した後に、シャッターを備えた遮蔽ユニットを本体筒部に装着することにより、シャッター付きの換気用ベントキャップに容易に変更できる。
【００３７】
以下、本発明の実施の形態について、図１〜図５を参照しながら説明する。
【００３８】
（実施の形態１）
図１および図２に示すように、建物の外壁１内に設けられて室内２側と室外３側を連通するダクト４内に嵌挿される本体筒部５と、本体筒部５の室外側端部６側から支持部材７を介して室外３に設けられる遮蔽部８とを備え、本体筒部５の室外側端部６から室外３側に突出させ、その先端部１０と遮蔽部８との間に全周にわたって間隔をおいた円筒状のカラー部１１が設けられ、本体筒部５の室外側開口部１２の前方に、室内２からの排気風の風圧で室外３側に回動して室外側開口部１２を開閉する風圧式のシャッター１３を設けた換気用ベントキャップ９を設置している。また、外壁１の室内壁面１ａに、ダクト４に連通させて換気扇１５を設置している。
【００３９】
上記シャッター１３は、複数枚のシャッター羽根１３ａ、１３ｂ、１３ｃ、１３ｄを、上下で一部分が重なり合うようにして上下方向に並べ、それぞれが回動支軸２４を支軸として風圧により回動する構成としている。また、シャッター羽根１３ａ、１３ｂ、１３ｃ、１３ｄは、アルミ製としている。
【００４０】
上記構成の換気用ベントキャップ９は、外壁１への設置時、本体筒部５を外壁１に取り付けられたダクト４に差し込むと、本体筒部５の外周部に設けられた板ばね１４がダクト４の内壁面に係止し、外壁１に換気用ベントキャップ９が固定される。
【００４１】
そして、室内２側に設置された換気扇１５を運転すると、換気扇１５の風圧でシャッター羽根１３ａ、１３ｂ、１３ｃ、１３ｄが回動支軸２４を支軸として室外３側に回動し、シャッター１３が開いてダクト４内の通風路１７が通風状態となり、換気扇１５による排気が行われる。
【００４２】
そして、台風のような強風が発生したときは、室内２への外風１８の侵入を防ぐために換気扇１５の運転を停止する。換気扇１５を停止すると、シャッター１３を開かせる風圧がなくなるため、シャッター１３は自然垂下状態となり、通風路１７を閉鎖する。このような強風時には、外壁１に向かって吹く外風１８は遮蔽部８に当たり、直接シャッター１３に外風１８が当たるのが防止され、強風によるシャッター１３の変形などの不具合の発生が防止できる。
【００４３】
また、換気用ベントキャップ９がマンションなどの高所に設置された場合には、外風１８は、外壁１の室外壁面１ｂに沿って上方に吹き上げる吹き上げ風１９となり、吹き上げ風１９は遮蔽部８とカラー部１１との間の下部空間２０から侵入する。下部空間２０から侵入した吹き上げ風１９は、遮蔽部８とカラー部１１との間の上部空間２１から抵抗なく抜けていき、シャッター１３に強風が当たるのを防止できる。
【００４４】
このように本実施の形態１の換気用ベントキャップ９によれば、強風が吹いて、換気用ベントキャップ９が正面や下方から外風１８を受けても、シャッター１３に外風１８が直接当たるのを防止できるので、換気扇１５停止時のシャッター１３閉鎖時に、シャッター１３が風によって煽られて開き、室内２に外風１８が侵入するのを防止できる。また、シャッター１３は、本体筒部５の室外側開口部１２の前方（本体筒部５外）に位置しているため、シャッター１３は換気扇１５との設置上の干渉を受けず、外壁１がとくに薄い壁でも換気用ベントキャップ９を設置することができる。
【００４５】
また、シャッター１３は複数枚のシャッター羽根１３ａ、１３ｂ、１３ｃ、１３ｄからなり、シャッター羽根１３ａ、……１３ｄ１枚の面積が小さく、さらにアルミ製であるので、重量が軽く開きやすくなって、シャッター１３による圧力損失が小さくなり、換気量の低下を防ぐことができる。また、各シャッター羽根１３ａ、……１３ｄの上下方向寸法Ｌは短いので、シャッター１３開放時に、シャッター羽根１３ａ、……１３ｄの先端部２２がカラー部１１の先端部１０より室外３側へ突出しないようにすることができ、シャッター１３開放時に、吹き上げ風１９によって煽られ、所定の開放角度を超えてより上方に開くというシャッター１３の不具合を防止できる。
【００４６】
また、シャッターは柔軟性のある樹脂板製で形成する構成であるため、換気扇停止時にシャッター１３同士が当接する際のシャッター衝突音の騒音を低減できる。
【００４７】
（実施の形態２）
本発明の実施の形態２換気用ベントキャップは、上記実施の形態１の換気用ベントキャップ９に対し、シャッター羽根１３ａ、１３ｂ、１３ｃ、１３ｄを柔軟性のある樹脂板製とした点が相違している。
【００４８】
上記構成により、シャッター１３は閉鎖するとき、下方に垂下していくシャッター羽根１３ａ、……１３ｄ同士が重なり合う部分で衝突して発生する音が、柔軟性のある樹脂によって緩和され、閉鎖時の騒音を低下させることができる。
【００４９】
（実施の形態３）
本発明の実施の形態３の換気用ベントキャップ９Ａは、図３に示すように、本体筒部５内に防火ダンパー２３を設けた点に特徴がある。
【００５０】
ところで、換気用ベントキャップはその設置する場所によって、さらに防火ダンパーを設けなければならない場合がある。例えば、都市部の住宅密集地域などで、家と家との間隔が広く取れない場合、家の内部で火が発生したときに、換気用のダクトを通じて火炎が隣の家に延焼しないように、換気の通風経路内が高温になったときに通風経路を遮断するための防火ダンパーを設けることが義務付けられており、このような地域を防火地域あるいは準防火地域として指定し、外壁を耐火壁にするために、一般地域の外壁の厚みより厚くしている。建物の外壁１は主に３層の構造になっており、室内側の室内壁面１ｃと室外側の室外側壁面１ｄとその中間層１ｅとでなるが、防火地域や準防火地域では、室外壁１ｄの厚みを一般地域よりも厚くして、住宅を耐火構造としている。すなわち、防火ダンパー付で外壁への差込寸法が若干大きい換気用ベントキャップも、換気扇と設置上の干渉がなく設置することができている。
【００５１】
本実施の形態３の防火ダンパー２３に係る構成について詳述すると、本体筒部５に回動支軸２４を支軸として回動自在に支持された２枚の半円状のダンパー板２５に、２枚のダンパー板２５を回動させて円形になるように付勢したコイルばね２６が固定され、また、通常はコイルばね２６の付勢力に抗して２枚のダンパー板２５を重ね合わせるように保持する温度ヒューズ２８を、ダンパー板２５の遊端部２７に係止している。
【００５２】
また、２枚のダンパー板２５は重ね合わせたとき、遊端部２７、すなわち、温度ヒューズ２８の係止位置が回動支軸２４に対し室内２側となるように構成している。温度ヒューズ２８は、火災等によって本体筒部５内の温度が異常上昇したとき、所定温度で溶融して分断される。温度ヒューズ２８が分断されると、コイルばね２６によって２枚のダンパー板２５が回動支軸２４を支軸に回動して本体筒部５内の風路を閉鎖し、火災等による延焼を防止する。
【００５３】
上記構成において、本体筒部５のダクト４への差込寸法Ｘは、ほぼ防火ダンパー２３の占める寸法のみであり、風圧式のシャッター１３と防火ダンパー２３を併設した換気用ベントキャップ９Ａが必要である場合でも、本体筒部５の差込寸法Ｘはシャッター１３のない換気用ベントキャップと同じ寸法とすることができるので、防火地域等において、比較的薄い壁厚の外壁１に設置されたシャッター１３なしで防火ダンパー２３付の換気用ベントキャップを、シャッター１３と防火ダンパー２３を併設した換気用ベントキャップ９Ａに付け替えるという場合でも、室内２側に設置された換気扇１５と設置上干渉することがない。
【００５４】
すなわち、背景技術の項目で記述した特許文献２に記載された換気用ベントキャップのように、シャッターが本体筒部内にあり、防火ダンパーがない換気用ベントキャップに、防火ダンパーを本体筒部内に併設すると、本体筒部の寸法は、シャッターと防火ダンパーとを設けるための寸法が少なくとも必要となり、このような換気用ベントキャップについて、防火ダンパーの寸法と換気扇の差込寸法とを加えた程度の厚みの外壁に既設のシャッターを有してない防火ダンパー付の換気用ベントキャップに替えて、シャッターを有した防火ダンパー付の換気用ベントキャップを設置しようとしても設置不可能であるが、本実施の形態３の換気用ベントキャップによれば、シャッター１３と防火ダンパー２３を併設しても、外壁１の厚みは、防火ダンパー２３のみを設けた本体筒部の差込寸法Ｘと、換気扇１５の差込寸法Ｗとを加えた寸法があればよいので、シャッターなしの防火ダンパー付換気用ベントキャップからシャッターを有した防火ダンパー付換気用ベントキャップに取り換え可能となる。
【００５５】
また、温度ヒューズ２８が何らかの理由で交換する必要があるときには、室内２側に設置した換気扇１５を取り外せば、作業者は室内２側からダクト４内に手を入れ、温度ヒューズ２８を取り外し、交換することができる。このように、室内２側から温度ヒューズ２８を交換でき、さらに、シャッター１３に触ることなく温度ヒューズ２８を交換できるので、防火ダンパー２３のメンテナンスが容易にでき、防火ダンパー２３の防火性能を容易に維持することができる。また、換気用ベントキャップ９Ａの設置位置がマンション等の高所であっても、室外３からはしごを使って、換気用ベントキャップ９Ａを取り外して温度ヒューズ２８を交換するとういう手間を省け、かつ、室内２から作業できるので、はしごに乗っての高所作業をしなくてもすみ、安全に温度ヒューズ２８の交換作業ができることとなる。
【００５６】
（実施の形態４）
本発明の実施の形態４の換気用ベントキャップ９Ｂは、図４に示すように、カラー部１１の内側に挿入され、本体筒部５の室外側開口部１２に連通する開口３３を有し、この開口３３にシャッター１３を設けたベース３０を備え、ベース３０にはシャッター１３の外周を囲む枠２９を設けている。
【００５７】
そして、ベース３０と、ベース３０から室外３側へ突出させて設けた支持部材７と、支持部材７の先端に固定された遮蔽部８と、シャッター１３とをユニット化して遮蔽ユニット３１を構成し、遮蔽ユニット３１を本体筒部５の室外側端部６に設けたカラー部１１に、固定ねじ３２によって着脱自在に取り付けている。
【００５８】
上記構成の換気用ベントキャップ９Ｂによれば、外壁１に設置された換気用ベントキャップ９Ｂに、強風が吹き付けると、シャッター１３を設けたベース３０の開口３３に風と一緒に木の葉等が飛んでくる場合があるが、シャッター１３の外周にはシャッター１３の外周を囲むように枠２９があるため、木の葉等の異物がシャッター１３の側方から侵入して挟まれるのを阻止し、シャッター１３が開閉不能になるという事態が起こるのを防止できる。
【００５９】
また、シャッター１３を備えた遮蔽ユニット３１は本体筒部５に着脱自在であるので、風圧式のシャッター１３のない（シャッター１３を備えていない遮蔽ユニットを設けた）換気用ベントキャップが外壁１に既に設置されている場合、設置後に室内２に風が侵入するのを防止するためにユーザーがシャッター付きの換気用ベントキャップに変更したいと要望したときには、ダクト４から本体筒部５を外さずに、カラー部１１と遮蔽ユニットとを固定している固定ねじ３２のみを外して、シャッター１３を備えた遮蔽ユニット３１に付け替えることによって、容易にシャッター付きの換気用ベントキャップ９Ｂに変更できる。
【産業上の利用可能性】
【００６０】
本発明に係る換気用ベントキャップは、外風が強く外壁に吹き付けても、開放時および閉鎖時のシャッターが影響を受けず、かつ、薄壁の外壁にも設置できる効果を有し、建物の外壁に設置されるシャッター付きの換気用ベントキャップとして有用である。
【図面の簡単な説明】
【００６１】
【図１】本発明の実施の形態１の換気用ベントキャップの設置時におけるシャッター閉鎖状態を示す断面図
【図２】同換気用ベントキャップの設置時におけるシャッター開放状態を示す断面図
【図３】本発明の実施の形態３の換気用ベントキャップを示す設置時断面図
【図４】本発明の実施の形態４の換気用ベントキャップを示す斜視図
【図５】従来の換気用ベントキャップの設置時断面図
【図６】従来の他の換気用ベントキャップの設置時断面図
【符号の説明】
【００６２】
１      外壁
２      室内
３      室外
４      ダクト
５      本体筒部
６      室外側端部
７      支持部材
８      遮蔽部
９      換気用ベントキャップ
１０    先端部
１１    カラー部
１２    室外側開口部
１３    シャッター
１３ａ  シャッター羽根
１３ｂ  シャッター羽根
１３ｃ  シャッター羽根
１３ｄ  シャッター羽根
２３    防火ダンパー
２４    回動支軸
２８    温度ヒューズ
２９    枠
３０    ベース
３１    遮蔽ユニット
【図１】
2009293893.tif 000003
【図２】
2009293893.tif 000004
【図３】
2009293893.tif 000005
【図４】
2009293893.tif 000006
【図５】
2009293893.tif 000007
【図６】
2009293893.tif 000008